(57)【特許請求の範囲】
【請求項１】
ファンの通風流路に負荷をかけた状態で測定された音圧レベルを示す負荷騒音を測定する測定装置により、任意のファンに対して複数の位置で測定された音圧レベルと、前記任意のファンとは異なる、前記負荷騒音の予測対象であるファンに対して、前記任意のファンに対する音圧レベルの測定位置と同一の位置で測定された少なくとも一つの音圧レベルとを取得し、
前記取得された前記任意のファンに関する音圧レベルと、前記予測対象であるファンに関する音圧レベルとに基づいて、該予測対象であるファンに対する未測定の位置における音圧レベルを予測する
処理をコンピュータに実行させることを特徴とする負荷騒音予測プログラム。
【請求項２】
前記測定装置により、前記任意のファンに対して吸気側及び排気側の位置で測定された音圧レベルと、前記負荷騒音の予測対象であるファンに対して、前記任意のファンに対する吸気側又は排気側の音圧レベルの測定位置と同一の位置で測定された少なくとも一つの音圧レベルとを取得し、
前記取得された前記任意のファンに関する音圧レベルと、前記予測対象であるファンに関する音圧レベルとに基づいて、該予測対象であるファンに対する吸気側又は排気側の未測定の位置における音圧レベルを予測する
処理をさらにコンピュータに実行させることを特徴とする請求項１に記載の負荷騒音予測プログラム。
【請求項３】
ファンの通風流路に負荷をかけた状態で測定された音圧レベルを示す負荷騒音を測定する測定装置により、任意のファンに対して複数の位置で測定された音圧レベルと、前記任意のファンとは異なる、前記負荷騒音の予測対象であるファンに対して、前記任意のファンに対する音圧レベルの測定位置と同一の位置で測定された少なくとも一つの音圧レベルとを取得する取得部と、
前記取得部によって取得された前記任意のファンに関する音圧レベルと、前記予測対象であるファンに関する音圧レベルとに基づいて、該予測対象であるファンに対する未測定の位置における音圧レベルを予測する予測部と
を有することを特徴とする負荷騒音予測装置。
【請求項４】
ファンの通風流路に負荷をかけた状態で測定された音圧レベルを示す負荷騒音を測定する測定装置により、任意のファンに対して複数の位置で測定された音圧レベルと、前記任意のファンとは異なる、前記負荷騒音の予測対象であるファンに対して、前記任意のファンに対する音圧レベルの測定位置と同一の位置で測定された少なくとも一つの音圧レベルとを取得し、
前記取得された前記任意のファンに関する音圧レベルと、前記予測対象であるファンに関する音圧レベルとに基づいて、該予測対象であるファンに対する未測定の位置における音圧レベルを予測する処理をコンピュータが実行することを特徴とする負荷騒音予測方法。
【発明の詳細な説明】
【技術分野】
【０００１】
本発明は、負荷騒音予測プログラム、負荷騒音予測装置及び負荷騒音予測方法に関する。
【背景技術】
【０００２】
従来、電子機器には、該電子機器に含まれる電子部品を冷却するファンが実装されることが多い。電子機器に実装されるファンは、該電子機器の動作や周囲環境等に起因して発生する電子部品の発熱を抑制するので、発熱による電子機器の故障や高温となった電子機器に利用者が触れることによる火傷等を防止することができる。
【０００３】
近年では、電子機器が種々の機能を有することにより電子部品数が増加することや、電子機器の小型化に伴い圧力損失が増大することで、ファンをより一層回転させることとなり、ファンの動作音による騒音が問題となっている。このため、静音化が要求される電子機器に対しては、該電子機器の設計段階において適切な冷却設計、ファンの選択及びファン回転数の制御等を検討することが好ましい。
【０００４】
電子機器に実装されるファンによる騒音の予測については、一つの態様として、ファンのメーカ等から提供される無負荷時及び定格時の回転数において、吸気側正面から１メートル離れた位置の音圧レベル値に基づいて予測する方法がある。また、電子機器に実装されるファンによる騒音の予測については、他の態様として、動作点での負荷騒音に基づいて予測する手法もある。また、電子機器に実装されるファンの騒音予測をより高い精度で行なうためには、複数の位置における音圧レベル、音響インテンシティ等の値を要する。
【０００５】
最近では、熱解析により動作点でのファン前後の圧力差を予測し、ファンの負荷騒音やＰＱ特性等から動作点での負荷騒音や風量を予測する技術がある。負荷騒音とは、ファンの通風流路に負荷をかけた状態における音のレベルを指す。
【先行技術文献】
【特許文献】
【０００６】
【特許文献１】特開２００１−１０８６４２号公報
【発明の概要】
【発明が解決しようとする課題】
【０００７】
しかしながら、従来技術では、複数の位置における負荷騒音に関するデータを得るための工数やコストが増大するという課題がある。例えば、ファンメーカから複数の位置における負荷騒音に関するデータを得る場合に、ファンメーカは、負荷騒音に関するデータの測定において、複数のマイクロホンや該マイクロホンを移動させる装置の設備を要することになる。
【０００８】
また、例えば、負荷騒音やＰＱ特性を測定する技術では、設備コストを抑える目的でファンの吸気側の音圧レベルのみを測定する場合が多い。このため、ファンの排気側のみにチャンバー（chamber）を設置している場合には、ファンの排気側の音圧レベルの測定時に、チャンバー内のノズルの向き、及び補助ブロアの吸排気方向を反転させる工数を要する。また、負荷騒音やＰＱ特性を測定する技術において、ファンの吸気側及び排気側の各々の負荷騒音を測定するために２系統のチャンバーを設置している場合には、設備コストが増大する。これらの結果、従来技術では、複数の位置における負荷騒音に関するデータを得るための測定設備や測定工数の負担が増大する。
【０００９】
そこで、本願に開示する技術は、上記に鑑みてなされたものであって、複数の位置における負荷騒音に関するデータを得るための工数やコストを低減することが可能な負荷騒音予測プログラム、負荷騒音予測装置及び負荷騒音予測方法を提供することを目的とする。
【課題を解決するための手段】
【００１０】
上述した課題を解決し、目的を達成するため、本願に開示する負荷騒音予測プログラムは、ファンの通風流路に負荷をかけた状態で測定された音圧レベルを示す負荷騒音を測定する測定装置により、任意のファンに対して複数の位置で測定された音圧レベルと、任意のファンとは異なる、負荷騒音の予測対象であるファンに対して、任意のファンに対する音圧レベルの測定位置と同一の位置で測定された少なくとも一つの音圧レベルとを取得し、取得された任意のファンに関する音圧レベルと、予測対象であるファンに関する音圧レベルとに基づいて、該予測対象であるファンに対する未測定の位置における音圧レベルを予測する処理をコンピュータに実行させる。
【発明の効果】
【００１１】
本願に開示する負荷騒音予測プログラム、負荷騒音予測装置及び負荷騒音予測方法の一つの様態は、負荷騒音に関するデータを得るための工数やコストを低減することができるという効果を奏する。
【図面の簡単な説明】
【００１２】
【図１】図１は、実施例１に係る負荷騒音予測装置の構成例を示す図である。
【図２】図２は、実施例１に係る負荷騒音を測定する測定装置による音圧レベルの測定について説明する図である。
【図３】図３は、実施例１に係る負荷騒音予測処理の流れの例を示すフローチャートである。
【図４】図４は、実施例２に係る負荷騒音を測定する測定装置による音圧レベルの測定について説明する図である。
【図５】図５は、実施例２に係る負荷騒音予測処理の流れの例を示すフローチャートである。
【図６】図６は、負荷騒音予測プログラムを実行するコンピュータの例を示す図である。
【発明を実施するための形態】
【００１３】
以下に添付図面を参照して、本願に開示する負荷騒音予測プログラム、負荷騒音予測装置及び負荷騒音予測方法の実施例を説明する。なお、以下の実施例により本発明が限定されるものではない。
【実施例１】
【００１４】
［負荷騒音予測装置の構成］
図１を用いて、実施例１に係る負荷騒音予測装置の構成を説明する。図１は、実施例１に係る負荷騒音予測装置の構成例を示す図である。例えば、図１に示すように、負荷騒音予測装置１００は、記憶部１１０と、制御部１２０とを有する。
【００１５】
記憶部１１０は、制御部１２０による各種処理に要するデータや、制御部１２０による各種処理結果を記憶する。また、記憶部１１０は、例えば、ＲＡＭ（Random  Access  Memory）、ＲＯＭ（Read  Only  Memory）、フラッシュメモリ（Flash  Memory）等の半導体メモリ素子、又は、ハードディスク、光ディスク等の記憶装置である。
【００１６】
制御部１２０は、制御プログラム、各種の処理手順等を規定したプログラム及び所要データを格納するための内部メモリを有し、負荷騒音予測装置１００全体を制御する。また、制御部１２０は、取得部１２１と、予測部１２２とを有する。また、制御部１２０は、例えば、ＡＳＩＣ（Application  Specific  Integrated  Circuit）やＦＰＧＡ（Field  Programmable  Gate  Array）等の集積回路、又は、ＣＰＵ（Central  Processing  Unit）やＭＰＵ（Micro  Processing  Unit）等の電子回路である。
【００１７】
取得部１２１は、ファンの通風流路に負荷をかけた状態で測定された音圧レベルを示す負荷騒音を測定する測定装置によって測定された音圧レベルを取得する。例えば、取得部１２１は、任意のファンに対して複数の位置で測定された音圧レベルを取得する。加えて、取得部１２１は、任意のファンとは異なる、負荷騒音の予測対象であるファンに対して、任意のファンに対する音圧レベルの測定位置と同一の位置で測定された少なくとも一つの音圧レベルを取得する。
【００１８】
なお、取得部１２１による音圧レベルの取得タイミングは、例えば、負荷騒音予測装置１００の利用者によって負荷騒音の予測開始の所定操作が行われたり、外部の装置から各音圧レベルが入力されたりしたタイミングである。また、取得部１２１によって取得される音圧レベルは、外部の記憶装置や記憶部１１０等が予め記憶していても良いし、ネットワークを介して接続された装置から入力されても良い。
【００１９】
ここで、図２を用いて、実施例１に係る負荷騒音を測定する測定装置による音圧レベルの測定について説明する。図２は、実施例１に係る負荷騒音を測定する測定装置による音圧レベルの測定について説明する図である。なお、図２では、ファンの吸気側における負荷騒音を測定する測定装置の例を示している。
【００２０】
例えば、図２に示すように、測定装置は、任意の位置に整流格子を備えた複数のチャンバーを有する。また、測定装置は、チャンバー仕切で仕切られたチャンバー間を接続してチャンバー間の風の流れを滑らかにするノズルと、チャンバーにおける風量や負荷を調整する補助ブロア及びダンパとを有する。加えて、測定装置は、チャンバー間での風量の測定に用いられる風量測定用差圧計と、チャンバーでの静圧の測定に用いられる静圧測定用差圧計と、補助ブロアやダンパ等が配置された位置とは異なるチャンバーの一端に配置された測定対象のファンとを有する。
【００２１】
また、例えば、ファンから１メートル離れた半球上の位置には、ファンの回転によって発生する音（音圧レベル）を測定するマイクが配置され、ファンとチャンバーとの間には、板或いは該音を吸音する吸音材等が設置される。また、図２に示す「ＬＰ＿ｆｒｏｎｔ」は、ファンの正面１メートルの位置に配置されたマイクで測定された音圧レベルである。
【００２２】
上記構成において、測定装置は、例えば、ファンＡの正面１メートルにおける音圧レベル「ＬＰ＿ｆｒｏｎｔ＿Ａ」と、各マイクの位置における音圧レベルとを測定する。また、測定装置は、例えば、ファンＡとは異なる、負荷騒音の予測対象であるファンＢに対して、正面１メートルにおける音圧レベル、すなわち音圧レベル「ＬＰ＿ｆｒｏｎｔ＿Ａ」を測定したマイクの位置における音圧レベル「ＬＰ＿ｆｒｏｎｔ＿Ｂ」を測定する。つまり、取得部１２１は、例えば、ファンＡに関する音圧レベル「ＬＰ＿ｆｒｏｎｔ＿Ａ」及び各マイクの位置における音圧レベルと、ファンＢに関する音圧レベル「ＬＰ＿ｆｒｏｎｔ＿Ｂ」とを取得することになる。
【００２３】
予測部１２２は、取得部１２１によって取得された任意のファンに関する音圧レベルと、負荷騒音の予測対象であるファンに関する音圧レベルとに基づいて、該予測対象であるファンに対する未測定の位置における音圧レベルを予測する。以下に、例を挙げて予測部１２２による予測処理を説明する。
【００２４】
ファンＢに対する予測値の音圧レベルを「ＬＰ＿ｏｐｔｉｏｎａｌ＿Ｂ」とし、これと同位置のファンＡに対する実測値の音圧レベルを「ＬＰ＿ｏｐｔｉｏｎａｌ＿Ａ」とする。これらにより、予測部１２２は、（式１）によりファンＡに関する音圧レベルの差分「ＬＰ＿ｄｉｆｆ１」を周波数バンド毎に求める。
ＬＰ＿ｄｉｆｆ１＝ＬＰ＿ｆｒｏｎｔ＿Ａ−ＬＰ＿ｏｐｔｉｏｎａｌ＿Ａ  ・・・（式１）
【００２５】
そして、予測部１２２は、求めた「ＬＰ＿ｄｉｆｆ１」と、ファンＢに関する音圧レベル「ＬＰ＿ｆｒｏｎｔ＿Ｂ」とを用いて、ファンＢに対する予測値の音圧レベル「ＬＰ＿ｏｐｔｉｏｎａｌ＿Ｂ」を（式２）により求める。
ＬＰ＿ｏｐｔｉｏｎａｌ＿Ｂ＝ＬＰ＿ｆｒｏｎｔ＿Ｂ−ＬＰ＿ｄｉｆｆ１  ・・・（式２）
【００２６】
要するに、負荷騒音予測装置１００は、ファンＡの複数の音圧レベルと、該ファンＡと同位置で測定された、ファンＢの少なくとも一つの音圧レベルとに基づいて、ファンＢに対する未測定の位置における音圧レベルを予測する。
【００２７】
ところで、図２に示した測定装置によって測定された音圧レベルを用いて、単位時間に音源の放射する音の全エネルギーのレベルを示す音響パワーレベルも同様に予測することができる。かかる音響パワーレベルは、商品としてのファンやファンを搭載した電子機器の騒音（音量）の比較時に用いられるパラメタである。ここで、図２に示すファンから１メートル離れた半球の表面積を「Ｓ」とする。
【００２８】
例えば、負荷騒音予測装置１００は、各マイクの位置におけるファンＡに関する音圧レベルのエネルギー平均値「ＬＰ＿ａｖｇ＿Ａ」を求め、該平均値と正面１メートルにおける音圧レベル「ＬＰ＿ｆｒｏｎｔ＿Ａ」との差分「ＬＰ＿ｄｉｆｆ２」を（式３）により周波数バンド毎に求める。
ＬＰ＿ｄｉｆｆ２＝ＬＰ＿ｆｒｏｎｔ＿Ａ−ＬＰ＿ａｖｇ＿Ａ  ・・・（式３）
【００２９】
そして、負荷騒音予測装置１００は、ファンＢの正面１メートルにおける音圧レベル「ＬＰ＿ｆｒｏｎｔ＿Ｂ」と、求めた差分「ＬＰ＿ｄｉｆｆ２」とを用いて、（式４）によりファンＢに関する音圧レベルの予測平均値「ＬＰ＿ａｖｇ＿Ｂ」を求める。
ＬＰ＿ａｖｇ＿Ｂ＝ＬＰ＿ｆｒｏｎｔ＿Ｂ−ＬＰ＿ｄｉｆｆ２  ・・・（式４）
【００３０】
続いて、負荷騒音予測装置１００は、表面積「Ｓ」と、求めたファンＢの予測平均値「ＬＰ＿ａｖｇ＿Ｂ」とを用いて、（式５）によりファンＢの音響パワーレベル「ＬＷ＿Ｂ」を求める。
ＬＷ＿Ｂ＝１０ｌｏｇＳ＋ＬＰ＿ａｖｇ＿Ｂ  ・・・（式５）
【００３１】
なお、負荷騒音予測装置１００は、ファンＡに関する音圧レベルのエネルギー平均値を求めるとともに、正面１メートルにおける音圧レベルとの差分を求めることとして説明したが、予め求められた差分値（ＬＰ＿ｄｉｆｆ２）を取得して用いることにしても良い。
【００３２】
また、音響パワーレベルの予測では、例えば、複数のファンについて測定された音響パワーレベルと、正面１メートルの音圧レベルとの差分データを有するデータベースを用いて予測することもできる。詳細には、音響パワーレベルを予測したファンの特徴を示すパラメタを入力として、データベースから近い特徴を持ったデータを取得し、最も近いデータとの差分をパラメタの差分影響で補間補正する。ファンの特徴を示すパラメタとしては、例えば、ファンのサイズ、羽根枚数、羽根形状及び回転数等が挙げられる。
【００３３】
［実施例１に係る負荷騒音予測処理］
次に、図３を用いて、実施例１に係る負荷騒音予測処理を説明する。図３は、実施例１に係る負荷騒音予測処理の流れの例を示すフローチャートである。
【００３４】
例えば、図３に示すように、取得部１２１は、負荷騒音の予測を開始する場合に（ステップＳ１０１肯定）、任意のファンに関する複数の音圧レベルと、負荷騒音の予測対象であるファンに関する音圧レベルとを取得する（ステップＳ１０２）。負荷騒音の予測対象であるファンに関する音圧レベルは、任意のファンに関する複数の音圧レベルのいずれかのものと同位置で測定された音圧レベルであれば良い。なお、取得部１２１は、負荷騒音の予測を開始しない、すなわち負荷騒音の予測開始のタイミングでない場合に（ステップＳ１０１否定）、該負荷騒音の予測の開始待ちの状態となる。
【００３５】
予測部１２２は、取得部１２１により取得された任意のファンに関する音圧レベルと、予測対象であるファンに関する音圧レベルとに基づいて、該予測対象であるファンに対する未測定の位置における音圧レベルを予測する（ステップＳ１０３）。なお、負荷騒音の予測対象であるファンに対する未測定の位置は、任意のファンの音圧レベルが測定された任意の位置である。
【００３６】
［実施例１による効果］
上述したように、負荷騒音予測装置１００は、任意のファンに関する複数の音圧レベルと、予測対象であるファンの少なくとも一つの音圧レベルとに基づいて、該予測対象であるファンに対する未測定の位置における音圧レベルを予測する。この結果、負荷騒音予測装置１００は、負荷騒音の予測に要するデータを得るための設備や作業工数等が増大する従来技術と比較して、負荷騒音に関するデータを得るための工数やコストを低減することができる。
【実施例２】
【００３７】
上記実施例１では、任意のファンの吸気側の音圧レベルと、予測対象のファンの吸気側の少なくとも一つの音圧レベルとに基づいて、予測対象のファンの音圧レベルを予測する場合を説明した。負荷騒音予測装置１００は、任意のファンの吸気側及び排気側の音圧レベルと、予測対象のファンの少なくとも一つの音圧レベルとに基づいて、任意のファンで測定した位置における予測対象のファンの音圧レベルを予測することもできる。そこで、実施例２では、任意のファンの吸気側及び排気側の音圧レベルと、予測対象のファンの少なくとも一つの音圧レベルとに基づいて、任意のファンで測定した位置における予測対象のファンの音圧レベルを予測する場合を説明する。なお、負荷騒音予測装置１００の構成については実施例１と同様であるためその説明を省略する。
【００３８】
［実施例２に係る測定装置による測定］
図４を用いて、実施例２に係る負荷騒音を測定する測定装置による音圧レベルの測定について説明する。図４は、実施例２に係る負荷騒音を測定する測定装置による音圧レベルの測定について説明する図である。なお、図４に示す測定装置の構成は、図２に示した実施例１に係る測定装置の構成と同様であるためその説明を省略する。
【００３９】
例えば、図４に示すように、測定装置は、ファンＡの吸気側正面１メートルにおける音圧レベル「ＬＰ＿ｆｒｏｎｔ＿Ａ」を測定する。加えて、測定装置は、図４に示すチャンバー等を反転させる等して、ファンＡの排気側正面１メートルにおける音圧レベル「ＬＰ＿ｂａｃｋ＿Ａ」を測定する。また、測定装置は、例えば、ファンＡとは異なる、負荷騒音の予測対象であるファンＢに対して、吸気側正面１メートルにおける音圧レベル、すなわち音圧レベル「ＬＰ＿ｆｒｏｎｔ＿Ａ」を測定したマイクの位置における音圧レベル「ＬＰ＿ｆｒｏｎｔ＿Ｂ」を測定する。
【００４０】
つまり、取得部１２１は、例えば、ファンＡに関する音圧レベル「ＬＰ＿ｆｒｏｎｔ＿Ａ」及び「ＬＰ＿ｂａｃｋ＿Ａ」と、ファンＢに関する音圧レベル「ＬＰ＿ｆｒｏｎｔ＿Ｂ」とを取得することになる。以下に、例を挙げて予測部１２２による予測処理を説明する。
【００４１】
予測部１２２は、取得部１２１によって取得されたファンＡに関する吸気側及び排気側の音圧レベル「ＬＰ＿ｆｒｏｎｔ＿Ａ」、「ＬＰ＿ｂａｃｋ＿Ａ」の差分「ＬＰ＿ｄｉｆｆ３」を（式６）により周波数バンド毎に求める。
ＬＰ＿ｄｉｆｆ３＝ＬＰ＿ｆｒｏｎｔ＿Ａ−ＬＰ＿ｂａｃｋ＿Ａ  ・・・（式６）
【００４２】
そして、予測部１２２は、求めた「ＬＰ＿ｄｉｆｆ３」と、ファンＢの吸気側の音圧レベル「ＬＰ＿ｆｒｏｎｔ＿Ｂ」とを用いて、ファンＢに対する排気側の予測値の音圧レベル「ＬＰ＿ｂａｃｋ＿Ｂ」を（式７）により求める。
ＬＰ＿ｂａｃｋ＿Ｂ＝ＬＰ＿ｆｒｏｎｔ＿Ｂ−ＬＰ＿ｄｉｆｆ３  ・・・（式７）
【００４３】
要するに、負荷騒音予測装置１００は、ファンＡの吸気側及び排気側の複数の音圧レベルと、該ファンＡの吸気側の同位置で測定された、ファンＢの少なくとも一つの音圧レベルとに基づいて、ファンＢに対する未測定の位置における排気側の音圧レベルを予測する。なお、実施例２における音響パワーレベルの予測は、実施例１と同様の処理で求めることができるのでその説明を省略する。
【００４４】
［実施例２に係る負荷騒音予測処理］
次に、図５を用いて、実施例２に係る負荷騒音予測処理を説明する。図５は、実施例２に係る負荷騒音予測処理の流れの例を示すフローチャートである。
【００４５】
例えば、図５に示すように、取得部１２１は、負荷騒音の予測を開始する場合に（ステップＳ２０１肯定）、任意のファンに関する吸気側及び排気側の複数の音圧レベルと、負荷騒音の予測対象であるファンに関する音圧レベルとを取得する（ステップＳ２０２）。負荷騒音の予測対象であるファンに関する音圧レベルは、任意のファンに関する複数の音圧レベルのいずれかのものと同位置で測定された音圧レベルであれば良い。なお、取得部１２１は、負荷騒音の予測を開始しない、すなわち負荷騒音の予測開始のタイミングでない場合に（ステップＳ２０１否定）、該負荷騒音の予測の開始待ちの状態となる。
【００４６】
予測部１２２は、取得部１２１により取得された任意のファンに関する吸気側及び排気側の音圧レベルと、予測対象であるファンに関する音圧レベルとに基づいて、該予測対象であるファンに対する未測定の位置における音圧レベルを予測する（ステップＳ２０３）。なお、負荷騒音の予測対象であるファンに対する未測定の位置は、任意のファンの音圧レベルが測定された任意の位置である。上記の例では、未測定の位置は、予測対象であるファンの排気側正面１メートルの位置である。
【００４７】
［実施例２による効果］
上述したように、負荷騒音予測装置１００は、任意のファンに関する吸気側及び排気側の複数の音圧レベルと、予測対象であるファンの少なくとも一つの音圧レベルとに基づいて、該予測対象であるファンに対する未測定の位置における音圧レベルを予測する。この結果、負荷騒音予測装置１００は、負荷騒音の予測に要するデータを得るための設備や作業工数等が増大する従来技術と比較して、負荷騒音に関するデータを得るための工数やコストを低減することができる。
【実施例３】
【００４８】
さて、これまで本願に開示する負荷騒音予測装置の実施例について説明したが、上述した実施例以外にも種々の異なる形態にて実施されてよいものである。そこで、（１）排気側での予測、（２）排気側から吸気側を予測、（３）装置の構成、（４）プログラム、において異なる実施例を説明する。
【００４９】
（１）排気側での予測
上記実施例１では、任意のファンの吸気側における複数の音圧レベルと、予測対象であるファンの吸気側における音圧レベルとに基づいて、該予測対象であるファンの吸気側における未測定の音圧レベルを予測する場合を説明した。負荷騒音予測装置１００は、上記の吸気側だけでなく、排気側においても音圧レベルを予測することができる。
【００５０】
例えば、測定装置は、ファンＡの排気側における正面１メートルの音圧レベルと、該排気側における各マイクの位置における音圧レベルとを測定する。また、測定装置は、例えば、ファンＡとは異なる、負荷騒音の予測対象であるファンＢの排気側における正面１メートルにおける音圧レベルを測定する。つまり、負荷騒音予測装置１００は、例えば、ファンＡに関する排気側における複数の音圧レベルと、ファンＢに関する排気側における少なくとも一つの音圧レベルとを取得することになる。その後、負荷騒音予測装置１００は、ファンＡに対する実測値の音圧レベルの差分を周波数バンド毎に求め、求めた差分とファンＢに対する実測値の音圧レベルとに基づいて、該ファンＢに対する排気側の未測定の位置における音圧レベルを予測する。
【００５１】
（２）排気側から吸気側を予測
また、上記実施例２では、任意のファンに対する吸気側及び排気側の音圧レベルと、予測対象であるファンに対する吸気側の音圧レベルとに基づいて、該予測対象であるファンに対する排気側の未測定の音圧レベルを予測する場合を説明した。負荷騒音予測装置１００は、上記の排気側の未測定の音圧レベルを予測するだけでなく、吸気側の未測定の音圧レベルを予測することもできる。
【００５２】
例えば、測定装置は、ファンＡの吸気側正面１メートルにおける音圧レベルと、該吸気側における各マイクの位置における音圧レベルとを測定する。加えて、測定装置は、ファンＡの排気側正面１メートルにおける音圧レベルを測定する。また、測定装置は、例えば、ファンＡとは異なる、負荷騒音の予測対象であるファンＢに対して、排気側正面１メートルにおける音圧レベルを測定する。つまり、負荷騒音予測装置１００は、例えば、ファンＡに関する排気側及び吸気側における複数の音圧レベルと、ファンＢに関する排気側における少なくとも一つの音圧レベルとを取得することになる。その後、負荷騒音予測装置１００は、ファンＡに対する実測値の音圧レベルの差分を周波数バンド毎に求め、求めた差分とファンＢに対する実測値の音圧レベルとに基づいて、該ファンＢに対する吸気側の未測定の位置における音圧レベルを予測する。
【００５３】
（３）装置の構成
また、上記文書中や図面中等で示した処理手順、制御手順、具体的名称、各種のデータやパラメタ等を含む情報については、特記する場合を除いて任意に変更することができる。例えば、測定装置におけるチャンバーや該チャンバーに含まれる各構成要素等は、形状、数量、配置される位置について図示されたものに限定するわけではなく、任意に変更可能であるとともに、マイクの数等も図示のものに限定するわけではない。また、マイクについては、一例としてファンから正面１メートル離れた位置に配置することとして説明したが、ファンからの距離についても任意に変更可能である。また、任意のファンと予測対象のファンとについては、誤差を考慮して、同類のファン同士を利用し上記各実施例を実施することで、より高精度な予測が可能となる。
【００５４】
また、図示した負荷騒音予測装置１００の各構成要素は、機能概念的なものであり、必ずしも物理的に図示の如く構成されていることを要しない。すなわち、各装置の分散・統合の具体的形態は、図示のものに限られず、その全部又は一部を各種の負担や使用状況などに応じて、任意の単位で機能的または物理的に分散・統合することができる。
【００５５】
（４）プログラム
ところで、上記実施例では、ハードウェアロジックによって各種の処理を実現する場合を説明したが、予め用意されたプログラムをコンピュータで実行することによって実現するようにしても良い。そこで、以下では、図６を用いて、上記実施例に示した負荷騒音予測装置１００と同様の機能を有する負荷騒音予測プログラムを実行するコンピュータの一例を説明する。図６は、負荷騒音予測プログラムを実行するコンピュータの例を示す図である。
【００５６】
図６に示すように、負荷騒音予測装置１００としてのコンピュータ１１は、ＨＤＤ（Hard  Disk  Drive）１３、ＣＰＵ（Central  Processing  Unit）１４、ＲＯＭ（Read  Only  Memory）１５及びＲＡＭ（Random  Access  Memory）１６等を有する。また、ＨＤＤ１３、ＣＰＵ１４、ＲＯＭ１５及びＲＡＭ１６は、バス１８で接続される。
【００５７】
ＲＯＭ１５には、上記実施例に示した負荷騒音予測装置１００と同様の機能を発揮する負荷騒音予測プログラムが予め記憶されている。つまり、ＲＯＭ１５には、図６に示すように、取得プログラム１５ａと、予測プログラム１５ｂとが予め記憶されている。なお、これらのプログラム１５ａ〜プログラム１５ｂについては、図１に示した負荷騒音予測装置１００の各構成要素と同様、適宜統合または分散しても良い。
【００５８】
そして、ＣＰＵ１４がこれらのプログラム１５ａ〜プログラム１５ｂをＲＯＭ１５から読み出して実行する。これにより、図６に示すように、プログラム１５ａ〜プログラム１５ｂは、取得プロセス１４ａと、予測プロセス１４ｂとして機能するようになる。なお、プロセス１４ａ〜プロセス１４ｂは、図１に示した、取得部１２１と、予測部１２２とに対応する。そして、ＣＰＵ１４は、ＲＡＭ１６に記録されたデータに基づいて負荷騒音予測プログラムを実行する。
【００５９】
なお、上記各プログラム１５ａ〜プログラム１５ｂについては、必ずしも最初からＲＯＭ１５に記憶させておく必要はない。例えば、コンピュータ１１に挿入されるフレキシブルディスク（ＦＤ）、ＣＤ−ＲＯＭ、ＤＶＤ（Digital  Versatile  Disk）ディスク、光磁気ディスク、ＩＣ（Integrated  Circuit）カード等の「可搬用の物理媒体」に各プログラムを記憶させておいても良い。また、例えば、コンピュータ１１の内外に備えられるＨＤＤ等の「固定用の物理媒体」に各プログラムを記憶させておいても良い。また、例えば、公衆回線、インターネット、ＬＡＮ（Local  Area  Network）、ＷＡＮ（Wide  Area  Network）などを介してコンピュータ１１に接続される「他のコンピュータ（またはサーバ）」等に各プログラムを記憶させておいても良い。そして、コンピュータ１１がこれから各プログラムを読み出して実行するようにしても良い。
【符号の説明】
【００６０】
１００  負荷騒音予測装置
１１０  記憶部
１２０  制御部
１２１  取得部
１２２  予測部
【図１】
0005527122.tif 000002
【図２】
0005527122.tif 000003
【図３】
0005527122.tif 000004
【図４】
0005527122.tif 000005
【図５】
0005527122.tif 000006
【図６】
0005527122.tif 000007